(57)【要約】【課題】  高精度な要約番組を生成する。【解決手段】  映像及び音声からなる番組から前記映像に含まれる画像を抽出して番組の要約を生成する要約番組生成装置において、前記映像からフレーム毎に画像データを抽出し、抽出されたフレーム画像の画像データ構造体を生成するフレーム画像抽出手段と、前記フレーム画像抽出手段により得られる画像データ構造体に基づいて音声データを抽出し、抽出された音声データに基づいて設定されるフレーム画像を抽出する音声・画像抽出手段と、前記音声・画像抽出手段により得られる前記フレーム画像の画像データ構造体及び前記音声データを蓄積する蓄積手段とを有することにより、上記課題を解決する。【選択図】        図２
2005332486.tif 000002
【特許請求の範囲】
【請求項１】
映像及び音声からなる番組から前記映像に含まれる画像を抽出して番組の要約を生成する要約番組生成装置において、
前記映像からフレーム毎に画像データを抽出し、抽出されたフレーム画像の画像データ構造体を生成するフレーム画像抽出手段と、
前記フレーム画像抽出手段により得られる画像データ構造体に基づいて音声データを抽出し、抽出された音声データに基づいて設定されるフレーム画像を抽出する音声・画像抽出手段と、
前記音声・画像抽出手段により得られる前記フレーム画像の画像データ構造体及び前記音声データを蓄積する蓄積手段とを有することを特徴とする要約番組生成装置。
【請求項２】
前記音声・画像抽出手段は、
カット点を含むフレーム画像の時間情報と音声レベルとに基づいて音声データを抽出し、抽出された音声データの時間情報に基づいて要約の出力候補となるフレーム画像を選定することを特徴とする請求項１に記載の要約番組生成装置。
【請求項３】
前記蓄積手段により蓄積された前記画像データ構造体及び前記音声データに基づいて要約の出力画像を設定する設定手段を有し、
前記設定手段は、ユーザに要約の出力画像を設定させるための設定画面を生成し、前記設定画面により設定された画像データ及び該画像データに対応する音声データを出力することを特徴とする請求項１又は２に記載の要約番組生成装置。
【請求項４】
前記設定手段は、
前記設定画面に前記フレーム画像と、前記フレーム画像を要約の出力画像として出力するかを設定するための設定情報とを、予め設定される前記フレーム画像の抽出条件に基づいて、前記時間情報の時間順に配列させて表示させることを特徴とする請求項３に記載の要約番組生成装置。
【請求項５】
前記設定手段により得られる画像データ及び該画像データに対応する音声データから要約番組を生成し、生成された要約番組を再生する再生手段を有することを特徴とする請求項１乃至４の何れか１項に記載の要約番組生成装置。
【請求項６】
前記再生手段は、
前記フレーム画像に対応する音声データが再生される時間よりも先に前記フレーム画像を再生させることを特徴とする請求項５に記載の要約番組生成装置。
【請求項７】
映像及び音声からなる番組から前記映像に含まれる画像を抽出して番組の要約を生成する処理をコンピュータに実行させるための要約番組生成プログラムにおいて、
前記映像からフレーム毎に画像データを抽出し、抽出されたフレーム画像の画像データ構造体を生成するフレーム画像抽出処理と、
前記フレーム画像抽出処理により得られる画像データ構造体に基づいて音声データを抽出し、抽出された音声データに基づいて設定されるフレーム画像を抽出する音声・画像抽出処理とをコンピュータに実行させるための要約番組生成プログラム。
【発明の詳細な説明】
【技術分野】
【０００１】
本発明は、要約番組生成装置、及び要約番組生成プログラムに係り、特に、高精度な要約番組を生成するための要約番組生成装置、及び要約番組生成プログラムに関する。
【背景技術】
【０００２】
近年では、通常の地上波によるテレビ放送に加えて、ＢＳデジタル放送やケーブルテレビ等、多様や放送ネットワークが普及してきている。このため、視聴者が視聴可能な番組の選択肢が広がると同時に視聴したい番組数も増加する傾向にある。これにより、視聴者は全ての番組を視聴するための時間が不足してしまう。
【０００３】
そこで、放送される番組の大まかな内容を視聴者に把握させるために番組を部分的に抽出して要約番組を生成し視聴者に提供するサービスがある。
【０００４】
このような要約番組の生成手法は、例えば、記録媒体やネットワーク等から得られるドラマ等の番組の映像から複数枚の画像を自動的に抽出し、ドラマの要約画像系列を生成することで、画像を送出することが可能なデジタルラジオ放送サービスとしても用いられている。
【０００５】
ここで、要約番組を生成するにあたり、番組の映像から複数枚の画像を抽出する方法としては、一定の時間間隔で画像を抽出する手法（例えば、特許文献１参照。）や、映像の切り換わりを示すカット点の検出のみに基づいて画像を抽出する手法（例えば、特許文献２参照。）が提案されている。
【特許文献１】特開２００１−７６４６０号公報
【特許文献２】特開平１０−３２７３８６号公報
【発明の開示】
【発明が解決しようとする課題】
【０００６】
しかしながら、特許文献１に示されているように一定間隔で画像を抽出する手法では、例えば、人物がフレームアウトしかけている場合等、要約画像として不適格なものが抽出されてしまったり、同じような画像が２枚続けて抽出されてしまう可能性がある。
【０００７】
また、特許文献２に示されているようにカット点の検出により画像を抽出する手法では、例えば人物が次第にアップになりセリフを喋りだすシーン等の場合は人物がある程度アップになった状態の画像を抽出することが好ましいが、カット点の検出により画像を抽出する手法では、カット点検出直後の画像が抽出されるため、人物のサイズがまだ大きくないタイミングで画像が抽出されてしまう。
【０００８】
したがって、要約番組を生成するには、視聴者が番組の内容を容易に理解しやすい画像や音声を効率的に抽出して要約を生成する必要がある。
【０００９】
本発明は、上述した問題点に鑑みなされたものであり、高精度な要約番組を生成するための要約番組生成装置、及び要約番組生成プログラムを提供することを目的とする。
【課題を解決するための手段】
【００１０】
上記課題を解決するために、本件発明は、以下の特徴を有する課題を解決するための手段を採用している。
【００１１】
請求項１に記載された発明は、映像及び音声からなる番組から前記映像に含まれる画像を抽出して番組の要約を生成する要約番組生成装置において、前記映像からフレーム毎に画像データを抽出し、抽出されたフレーム画像の画像データ構造体を生成するフレーム画像抽出手段と、前記フレーム画像抽出手段により得られる画像データ構造体に基づいて音声データを抽出し、抽出された音声データに基づいて設定されるフレーム画像を抽出する音声・画像抽出手段と、前記音声・画像抽出手段により得られる前記フレーム画像の画像データ構造体及び前記音声データを蓄積する蓄積手段とを有することを特徴とする。
【００１２】
請求項１記載の発明によれば、視聴者が番組の内容を容易に理解しやすい画像や音声を効率的に抽出して要約を生成することができる。これにより、高精度な要約番組を生成することができる。
【００１３】
請求項２に記載された発明は、前記音声・画像抽出手段は、カット点を含むフレーム画像の時間情報と音声レベルとに基づいて音声データを抽出し、抽出された音声データの時間情報に基づいて要約の出力候補となるフレーム画像を選定することを特徴とする。
【００１４】
請求項２記載の発明によれば、カット点を含むフレーム画像を基準にして視聴者が番組の内容を容易に理解しやすい画像や音声を効率的に抽出して要約を生成することができる。これにより、高精度な要約番組を生成することができる。
【００１５】
請求項３に記載された発明は、前記蓄積手段により蓄積された前記画像データ構造体及び前記音声データに基づいて要約の出力画像を設定する設定手段を有し、前記設定手段は、ユーザに要約の出力画像を設定させるための設定画面を生成し、前記設定画面により設定された画像データ及び該画像データに対応する音声データを出力することを特徴とする。
【００１６】
請求項３記載の発明によれば、設定画面により要約に用いられる出力画像をユーザ（利用者）に指定させることで視聴者が番組の内容を容易に理解しやすい画像や音声を抽出して要約を生成することができる。これにより、高精度な要約番組を生成することができる。また、ユーザは、設定画面を用いて容易に要約の出力画像を設定することができる。
【００１７】
請求項４に記載された発明は、前記設定手段は、前記設定画面に前記フレーム画像と、前記フレーム画像を要約の出力画像として出力するかを設定するための設定情報とを、予め設定される前記フレーム画像の抽出条件に基づいて、前記時間情報の時間順に配列させて表示させることを特徴とする。
【００１８】
請求項４記載の発明によれば、設定画面に表示される画像間の関係を容易に把握することができる。これにより、出力画像を効率的で高精度に設定することができる。
【００１９】
請求項５に記載された発明は、前記設定手段により得られる画像データ及び該画像データに対応する音声データから要約番組を生成し、生成された要約番組を再生する再生手段を有することを特徴とする。
【００２０】
請求項５記載の発明によれば、設定手段により得られる画像データ及び該画像データに対応する音声データから容易に高精度な要約番組を生成することができる。
【００２１】
請求項６に記載された発明は、前記再生手段は、前記フレーム画像に対応する音声データが再生される時間よりも先に前記フレーム画像を再生させることを特徴とする。
【００２２】
請求項６記載の発明によれば、音声よりも先にフレーム画像を視聴者に出力させて視聴者に状況をイメージするまでの時間を与えてから音声が表示されるため、違和感を与えずに視聴者が番組の内容を容易に理解しやすい高精度な要約番組を提供することができる。
【００２３】
請求項７に記載された発明は、映像及び音声からなる番組から前記映像に含まれる画像を抽出して番組の要約を生成する処理をコンピュータに実行させるための要約番組生成プログラムにおいて、前記映像からフレーム毎に画像データを抽出し、抽出されたフレーム画像の画像データ構造体を生成するフレーム画像抽出処理と、前記フレーム画像抽出処理により得られる画像データ構造体に基づいて音声データを抽出し、抽出された音声データに基づいて設定されるフレーム画像を抽出する音声・画像抽出処理とをコンピュータに実行させる。
【００２４】
請求項７記載の発明によれば、視聴者が番組の内容を容易に理解しやすい画像や音声を効率的に抽出して要約を生成することができる。これにより、高精度な要約番組を生成することができる。また、特別な装置構成を必要とせず、低コストで要約番組の生成を実現することができる。更に、プログラムをインストールすることにより、容易に要約番組の生成を実現することができる。
【発明の効果】
【００２５】
本発明によれば、番組の内容を理解しやすい画像及び音声を効率的に抽出することができる。これにより、高精度な要約番組を生成することができる。
【発明を実施するための最良の形態】
【００２６】
＜本発明の概要＞
本発明は、番組の内容を理解しやすい画像及び音声を効率的に抽出することにより、高精度な要約番組を生成する。具体的に説明すると、例えばドラマ映像及び音声をコンピュータに取り込み、映像の切り替わりを示す部分（以下、「カット点」という。）及びセリフの喋り出し等に基づいて画像を抽出し、抽出した画像及びフレーム情報等からなるデータ（以下「画像データ構造体」）を蓄積する。次に、利用者がグラフィカルユーザインターフェース（以下、ＧＵＩという。）上で記録された画像データ構造体の削除あるいは変更等を行い、利用者により設定される画像に対応する画像データ構造体を抽出しドラマの要約を生成する。
【００２７】
＜実施形態＞
以下に、本発明を適用した実施形態について図を用いて説明する。図１は、本発明における要約番組生成装置の一構成例を示す図である。
【００２８】
図１に示す要約番組生成装置１０は、映像・音声分離部１１と、画像抽出部１２と、最終出力画像設定部（設定手段）１３と、要約番組再生部（再生手段）１４とを有するよう構成されている。なお、図１に示す要約番組生成装置１０では、映像・音声分離部１１を有する構成としているが、入力データとしてすでに映像と音声が分離されているデータを用いる場合は、映像・音声分離部１１を設けなくてもよい。
【００２９】
映像・音声分離部１１は、例えば、入力信号としてドラマの番組が入力された場合に、入力された番組を映像データと音声データとに分離して画像抽出部１２に出力する。このとき、分離されるそれぞれのデータには、番組の時間情報（タームテーブル）が含まれている。
【００３０】
画像抽出部１２は、入力された映像データから予め設定した時間に基づいてフレーム画像の抽出を行い、抽出されたフレーム画像の中から特徴ベクトル等に基づいて画像の選定を行う。
【００３１】
また、画像抽出部１２は、抽出された画像に対応する音声データの抽出を行い、抽出した音声データの音声レベルに基づいて音声データの選定を行う。
【００３２】
なお、画像抽出部１２は、最初に音声データの抽出、選定を行い、その選定された音声データに基づいて音声データに対応する映像からフレーム画像の抽出、選定を行ってもよい。
【００３３】
また、画像抽出部１２は、選定により得られる出力候補となる画像データ及び音声データを蓄積する。更に、画像抽出部１２は、蓄積された画像データ及び音声データを最終出力画像設定部１３に出力する。ここで、上述の「画像データ」は、実際に画面に表示する画像の他に、その画像が番組内で表示される際の時間情報（タイムテーブル）が含まれている。同様に「音声データ」は、実際に出力される音声情報の他にその音声が番組内で出力される際の時間情報（タイムテーブル）が含まれている。
【００３４】
最終出力画像設定部１３は、画像抽出部１２により入力された画像データに基づいて、要約番組として用いられる画像の設定を行う。また、最終出力画像設定部１３は、設定された画像データ及び音声データを要約番組再生部１４に出力する。
【００３５】
要約番組再生部１４は、最終出力画像設定部１３により最終的に設定された画像データ及び音声データを予め設定されたタイミングで再生させるようにして要約番組を生成する。また、要約番組再生部１４は、生成された要約番組を再生（出力）する。
【００３６】
これにより、番組の内容を理解しやすい画像及び音声を効率的に抽出することができるため、高精度な要約番組を生成することができる。
【００３７】
＜画像抽出部１２＞
次に、本実施形態における画像抽出部１２の具体的な機能構成例について図を用いて説明する。図２は、本実施形態における画像抽出部の機能構成の一例を示す図である。図２に示す画像抽出部１２は、フレーム画像抽出手段２１と、カット点検出手段２２と、音声開始点検出・画像抽出手段（音声・画像抽出手段）２３と、出力候補画像蓄積手段（蓄積手段）２４とを有するよう構成されている。
【００３８】
フレーム画像抽出手段２１は、番組から映像データを入力し、フレーム単位の画像データを取得する。具体的には、入力した映像データからリアルタイムでフレーム毎に画像データを切り出して抽出し、抽出したフレーム画像の画像データ構造体を生成する。
【００３９】
ここで、画像データ構造体とは、抽出された画像データと、抽出された画像のフレーム番号と、抽出されたフレームがカット点であるか否かを示すフラグと、現フレームと前フレームの画像データから計算されるカット検出の尺度（例えば、特徴ベクトル情報等のカット検出に用いられる情報）等とからなる。また、フレーム画像抽出手段２１は、取得した画像データ構造体をカット点検出手段２２に出力する。
【００４０】
カット点検出手段２２は、フレーム毎に抽出された画像データ構造体を、従来のカット点検出手法と同様に、現フレームと前フレームとの画像イメージデータからカット点の検出を行う。
【００４１】
ここで、カット点検出の具体例としては、例えば、画像の特徴ベクトルを前後の画像で比較し、その変化量が所定の変化量以上のもの映像の切り替わりであるカット点であるとする手法を用いることができる。
【００４２】
また、特徴ベクトルの例としては、例えば、輝度の画像全体での平均値を特徴ベクトルとする方法や、色の各要素（Ｒ，Ｇ，Ｂ）の画像全体での平均値を特徴ベクトルとする方法、エッジ量、分布から特徴ベクトルを構成する方法、テクスチャの複雑性を表す数値列から特徴ベクトルを構成する方法、又はこれらを幾つか組み合わせて特徴ベクトルを構成する方法等がある。なお、本発明におけるカット点検出の手法や特徴ベクトルの構成方法についてはこの限りではない。
【００４３】
次に、カット点検出手段２２は、尺度の値からカット点であると判断した場合は、現フレームのフラグに１をセットする。また、尺度の値からカット点でないと判断した場合は、カット点の尺度の値を最新のカット点の尺度の値に置き換え、更に現フレームのフラグに０をセットする。カット点検出手段２２は、上述したようにカット点の尺度及びフラグをセットした画像データ構造体を音声開始点検出・画像抽出手段２３に出力する。
【００４４】
音声開始点検出・画像抽出手段２３は、カット点検出手段２２から入力される画像データ構造体と、映像・音声分離部１１等から入力される音声データとに基づいて、出力候補の画像データ構造体とその画像データ構造体に対応する音声データとを選定して出力する。
【００４５】
具体的には、音声開始点検出・画像抽出手段２３は、フラグが１である画像データ構造体が入力された場合、時間情報（タイムテーブル）に基づいて、その画像フレームに対応する音声データの出力される時間以降で音声の大きさ（音声レベル）が最初に予め設定された設定値以上となる音声データを検出し、更にその音声データのＦフレーム前（Ｆ：予め設定されたフレーム数）の画像データに対応する画像データ構造体を抽出し、出力候補の画像データ構造体として選定された画像データ構造体を出力候補画像蓄積手段２４に出力する。
【００４６】
また、上述したように設定レベル以上の音声レベルを有する時間から、更に予め設定された時間まで連続した音声データを抽出し、選定された音声データを出力候補画像蓄積手段２４に出力する。なお、音声の大きさは、例えば入力される音声データを計測する等の手法により取得することができる。
【００４７】
ここで、要約番組の出力候補として抽出される画像データ構造体を所定の音声レベル以上となる時間に対応する画像フレームより、更にＦフレーム前の画像データ構造体としたのは、一般的にドラマ等の番組においては、出演者が最初に喋りだす前に視聴者に状況を容易に把握させるための画像を表示させている。そこで、本実施形態では、視聴者に状況を把握させるために表示させる画像を取得するようにする。これにより、番組の内容を理解しやすい画像及びその画像に対応する音声からなる要約番組を生成することができる。
【００４８】
出力候補画像蓄積手段２４は、音声開始点検出・画像検出部２３から入力される出力候補の画像データ構造体と、要約番組に出力するための音声データとを蓄積する。
【００４９】
ここで、音声開始点検出・画像検出部２３における出力候補の画像の抽出内容について図を用いて具体的に説明する。図３は、出力候補画像の抽出内容を説明するための一例の図である。
【００５０】
ここで、図３において、映像と音声とが同一の時間情報（タイムテーブル）に基づいて設定されている。また、時間ｔ１〜ｔ４において、カット点が検出されたとする。
【００５１】
まず、時間ｔ１において、カット点が抽出された画像データ構造体の時間以降で設定された音声レベル以上の音声データが抽出される時間を検出する。ここで、音声データが時間ｔ１’で検出されたとする。この場合、音声データが検出された時点の画像データ構造体ではなく、そこから予め設定されるフレーム数分（図３においてはＦフレーム）前の画像データ構造体３１−１が出力候補として出力候補画像蓄積手段２４に出力される。
【００５２】
また、カット点が抽出された時間ｔ２，ｔ３，ｔ４についても上述と同様にカット点が検出された時間以降に最初に音声レベルが設定レベル以上となる時間を各々検出し（ｔ２’，ｔ３’，ｔ４’）検出した時間よりＦフレーム前に入力した画像データ構造体３１−２〜３１−４を出力候補画像蓄積手段２４に出力する。
【００５３】
なお、例えば、カット点ｔ１からカット点ｔ２の間に予め設定される閾値以上の音声レベルを有する音声データが抽出されなかった場合、カット点ｔ１に関する出力候補が存在しないことになる。
【００５４】
＜最終出力画像設定部１３＞
次に、本実施形態における最終出力画像設定部１３について、具体的に説明する。最終出力画像設定部１３は、画像抽出部１２から得られる画像データ構造体を用いて、予め設定される要約番組に出力する枚数や画像サイズ、生成する要約番組の時間等の出力条件や、画像を抽出する際の抽出条件等に基づいて最終的に要約番組の画像として出力する画像の設定を行う。
【００５５】
ここで、画像の抽出条件としては、画像データ構造体に含まれている尺度に基づいて、前後の画像データ構造体と比較して変化量が予め設定した変化量以上の画像を優先的に抽出する。または、画像データ構造体の時間情報から前後のフレームとの時間間隔が大きい画像を優先的に抽出する。更に、番組のオープニングやエンディング時の対応する時間帯の画像データ構造体については、優先的に抽出したり、画像データ構造体に含まれる時間情報から所定の時間帯のみ画像データ構造体から抽出を行う等の条件に基づいて抽出を行う。
【００５６】
また、抽出される画像については、生成される要約番組の時間や、使用する画像枚数等により出力条件に基づいて優先的に出力される。なお、上述の出力条件、抽出条件については、この限りではない。
【００５７】
例えば、１つの番組中に３００の画像データ構造体があり、出力条件として出力画像数を５０枚とした場合、３００の画像データ構造体から上述した抽出条件に基づいて５０の画像が抽出される。
【００５８】
また、最終出力画像設定部１３は、画像抽出部１２から得られる画像データ構造体を利用者に提示し、利用者に画像を設定させるようなＧＵＩを生成することで、出力条件、又は抽出条件を容易に設定することができる。具体的には、最終出力画像設定部１３に備えるディスプレイ等の表示画面に利用者が抽出する画像データ構造体の設定を行うための画面を生成して表示する。また、利用者が最終出力画像設定部１３に備えるキーボード等の入力手段により設定し、設定された条件に基づいて最終出力画像を設定する。
【００５９】
＜設定画面例＞
ここで、最終出力画像設定部１３により利用者に表示される設定画面例について図を用いて説明する。図４は、本実施形態における設定画面の一例の図である。図４に示す最終出力設定画面４１は、画像設定領域４２と、ボタン領域４３とを有するよう構成されている。
【００６０】
画像設定領域４２は、入力及び表示される画像データ構造体の設定を行うための画面である。具体的には、入力となるデータが格納されている格納先（出力候補画像蓄積手段２４）のアドレスやファイル名等を設定したり、一度に表示される最大表示画数を設定したり、画面に表示される表示画サイズ等を設定する。また、入力される格納先は利用者がキーボード等の入力手段により画像設定領域４２に設けられるテキストボックス４４に直接入力してもよく、コンボボックス４５に予め設定される複数の値から選択する等により設定することができる。
【００６１】
また、ボタン領域４３は、画像設定領域４２により設定された条件により、画像データ構造体の表示を実行するＯＫボタン４６と、実行を中止するキャンセルボタン４７とを有する。利用者は、ＯＫボタン４６又はキャンセルボタン４７を選択することにより、設定の実行及び中止を行うことができる。なお、上述した最終出力設定画面４１のレイアウト及び設定できる項目等についてはこの限りではない。
【００６２】
次に、利用者によりＯＫボタン４６が選択された際に表示される画面例について図を用いて説明する。図５は、画像データ構造体を設定するための詳細設定画面の一例を示す図である。図５に示すように詳細設定画面５１は、最終出力設定画面４１により設定される条件に基づいて、出力候補画像蓄積手段に２４に蓄積された画像が表示される。
【００６３】
なお、表示されている画像は、上述した特徴ベクトルや、画像データ構造体の前後のフレームとの時間間隔等に基づいて優先的に表示させることができる。
【００６４】
ここで、詳細設定画面５１は、画像表示領域５２と、ボタン領域５３とを有するよう構成されている。画像表示領域５２には、表示される画像毎に画面情報表示領域５４を有し、画面情報表示領域５４には、詳細情報や出力するか否かをチェックさせるための領域等が表示される。なお、画面情報表示領域５４の具体的な内容については後述する。
【００６５】
また、スクロールバー５５等を移動させることで、画像表示領域５２に設定した枚数迄の画面情報表示領域５４を表示させることができる。なお、画像表示領域５２に表示される画像の配列は、抽出条件に基づいて表示される画像内で、時間的に連続させて表示される。
【００６６】
また、ボタン領域５３は、画像表示領域５２により設定された画像の出力を実行するＯＫボタン５６と、実行を中止するキャンセルボタン５７とを有する。これにより、利用者は、ＯＫボタン５６又はキャンセルボタン５７を選択することにより、画像出力の実行及び中止を行うことができる。なお、上述した詳細設定画面５１のレイアウト及び表示項目についてはこの限りではない。
【００６７】
次に、上述した画面情報表示領域５４に表示される内容について説明する。図６は、画面情報表示領域５４に表示される内容を説明するための一例の図である。図６に示す画面情報表示領域５４は、画像６１と、画像表示領域５２により表示される画像のシーケンス番号６２と、画像６１を出力するか否かを利用者にチェックさせるためのチェックボックス６３と、出力候補画像蓄積手段２４に蓄積される際に、画像に割り振られている候補番号６４と、画像を変更するための移動ボタン（「←」、「→」）６５とを有している。
【００６８】
ここで、詳細設定画面５１は、画像表示領域５２に優先的に表示された画像ではなく、画像表示領域５２には表示されていない画像を選択することができる。その場合、移動ボタン６５−１，６５−２を選択することで、予め画像表示領域５２に表示されている画像６１の前後にある画像データ構造体であり、上述した出力条件や抽出条件により表示されなかった画像に移動して、他の画像を参照し、設定することができる。
【００６９】
なお、移動ボタン６５−１は、現在表示されている画像６１より時間的に前にあり、画像表示領域５２に表示されていない画像を表示させるための戻りボタンである。また、移動ボタン６５−２は、現在表示されている画像６１より時間的に後にあり、画像表示領域５２に表示されていない画像を表示させるための送りボタンである。
【００７０】
これにより、画面情報表示領域５４毎に表示される画像を容易に変更することができる。更に、移動ボタン６５−２に示すように、現在表示されている画像６１から先に画像表示領域５２に表示されていない画像がない場合は、移動ボタン６５−２を利用者に選択させないように非表示又はグレー表示にして選択できないようにすることができる。
【００７１】
ここで、上述した表示画像が変更される手順について図を用いて説明する。図７は、表示画像が変更される手順を説明するための一例を示す図である。なお、図７では出力候補の画像７１−１〜７１−４のうち、画像７１−１及び画像７１−４が画像表示領域５２に表示されているものとする。
【００７２】
利用者は、上述した移動ボタン６５を選択することで、表示される画像の変更を行うことができる。例えば、画像７１−４を変更する場合、画像７１−４を表示している画面情報表示領域５４の移動ボタン６５−１（「←」）により、画像７１−３や画像７１−２に移動させることができる。なお、画像７１−１は、すでに画像表示領域５２に表示されているため移動することはできない。このように、画像を移動させることにより、番組の内容を理解しやすい画像７２−１及び画像７２−３を表示させることができる。
【００７３】
更に、画像表示領域５２されている画像の中から最終的に出力する画像に対してフラグをチェックして最終出力画像お設定を行う。図８は、最終出力される画像の設定を説明するための図である。図８に示すように、各表示画像８１−１〜８１−４のそれぞれに設けられているチェックボックス８２−１〜８２−４にフラグをチェックし、図５に示すＯＫボタン５６を選択することにより、出力画像８３−１、８３−２、８３−４が出力される。
【００７４】
上述したように、利用者は、ＧＵＩの画面を用いて容易に要約番組に使用する画像の設定を行い、番組の内容を理解しやすい画像を最終出力画像として出力することができる。
【００７５】
また、最終出力画像設定部１３は、設定した画像データ構造体及びその画像データ構造体に対応付けられた音声データを要約番組再生部１４に出力する。要約番組再生部１４は、入力された画像データ構造体及び音声データから要約番組を生成し、生成した要約番組を再生する。
【００７６】
ここで、画像データ及び音声データを再生する場合、画像データ構造体及び音声データの各々の時間情報に基づいて、再生が行われる。しかしながら、画像と音声が同時に再生されると、視聴者が予め画像から状況をイメージするまでの間に音声が表示されてしまうため違和感が生じる可能性がある。
【００７７】
そこで、要約番組再生部１４は、音声データ又は画像データを再生する場合、画像の再生時間を時間情報の時間よりも所定の時間だけ早めて出力させるか、音声データを時間情報の時間よりも所定の時間だけ遅らせて出力させるか、又は、その両方の処理を行って要約番組の再生を行う。
【００７８】
また、再生時における画像の表示時間の設定は、上述した最終出力画像設定部１３により設定される。具体的には、要約番組全体の時間、画像データ構造体に含まれている時間情報、最終出力画像として出力された画像数、音声データの長さ等に基づいて設定される。これにより、視聴者は、最初にされる画像からある程度の状況をイメージすることができ、その後に対応する音声を聴くことができる。
【００７９】
ここで、要約番組生成装置１０は、専用の装置構成により要約番組の生成を行うこともできるが、例えば、要約番組の生成をコンピュータに実行させることができる実行プログラムを生成し、例えば、汎用のパーソナルコンピュータ、ワークステーション等にプログラムをインストールすることにより、本発明における要約番組生成を実現することができる。
【００８０】
＜ハードウェア構成＞
ここで、本発明における要約番組の生成が実行可能なコンピュータのハードウェア構成例について図を用いて説明する。図９は、本発明における要約番組生成が実現可能なハードウェア構成の一例を示す図である。
【００８１】
図９におけるコンピュータ本体には、入力装置９１と、出力装置９２と、ドライブ装置９３と、補助記憶装置９４と、メモリ装置９５と、各種制御を行うＣＰＵ（Ｃｅｎｔｒａｌ  Ｐｒｏｃｅｓｓｉｎｇ  Ｕｎｉｔ）９６と、ネットワーク接続装置９７とを有するよう構成されており、これらはシステムバスＢで相互に接続されている。
【００８２】
入力装置９１は、ユーザが操作するキーボード及びマウス等のポインティングデバイスを有しており、ユーザからのプログラムの実行等、各種操作信号を入力する。出力装置９２は、本発明における処理を行うためのコンピュータ本体を操作するのに必要な各種ウィンドウやデータ等を表示するディスプレイを有し、ＣＰＵ９６が有する制御プログラムによりプログラムの実行経過や結果等を表示することができる。
【００８３】
ここで、本発明において、コンピュータ本体にインストールされる実行プログラムは、例えば、ＣＤ−ＲＯＭ等の記録媒体９８等により提供される。プログラムを記録した記録媒体９８は、ドライブ装置９３にセット可能であり、記録媒体９８に含まれる実行プログラムが、記録媒体９８からドライブ装置９３を介して補助記憶装置９４にインストールされる。
【００８４】
補助記憶装置９４は、ハードディスク等のストレージ手段であり、本発明における実行プログラムや、コンピュータに設けられた制御プログラム等を蓄積し必要に応じて入出力を行うことができる。
【００８５】
ＣＰＵ９６は、ＯＳ（Ｏｐｅｒａｔｉｎｇ  Ｓｙｓｔｅｍ）等の制御プログラム、及びメモリ装置９５により読み出され格納されている実行プログラムに基づいて、各種演算や各ハードウェア構成部とのデータの入出力等、コンピュータ全体の処理を制御して、要約番組の生成における各処理を実現することができる。プログラムの実行中に必要な各種データ等は、補助記憶装置９４から取得することができ、また格納することもできる。
【００８６】
ネットワーク接続装置９７は、通信ネットワーク等と接続することにより、実行プログラムを通信ネットワークに接続されている他の端末等から取得したり、プログラムを実行することで得られた実行結果又は本発明における実行プログラム自体を他の端末等に提供することができる。
【００８７】
上述したようなハードウェア構成により、特別な装置構成を必要とせず、低コストで要約番組の生成を実現することができる。また、プログラムをインストールすることにより、容易に要約番組の生成を実現することができる。
【００８８】
＜要約番組生成処理手順＞
次に、実行プログラムにおける処理手順について、フローチャートを用いて説明する。図１０は、番組生成処理手順の一例を示すのフローチャートである。まず、入力される映像及び音声からなる番組を入力し、映像データと音声データとに分離する（Ｓ０１）、次に、Ｓ０１により分離された映像データを用いてフレーム画像抽出処理を行う（Ｓ０２）。次に、Ｓ０１にて分離された音声データとＳ０２により抽出された画像データに基づいて音声データ抽出処理を行う（Ｓ０３）、また、Ｓ０３の処理により得られる画像データ構造体を出力候補画像として蓄積する（Ｓ０４）。なお、上述したフレーム画像抽出処理手順（Ｓ０２）及び音声データ抽出処理手順（Ｓ０３）の具体的な処理手順については後述する。
【００８９】
次に、蓄積された出力候補画像を用いて最終出力画像の設定を行う（Ｓ０５）。画像の設定例としては、上述したように、Ｓ０３の処理により得られる画像データ構造体を用いて予め設定される出力する枚数や画像サイズ、生成する要約番組の時間等の出力条件や抽出する画像を選定する際の抽出条件に基づいて、最終的に要約番組の画像データと対応する音声データを出力する。その後、出力された画像データ構造体に基づいて、再生を行う（Ｓ０６）。
【００９０】
また、画像データと音声データの再生においては、上述したように画像データを対応する音声データよりも先に再生されるよう再生時間をずらすことで、視聴者に画像から状況をイメージするまでの時間を与えてから音声が表示されるため、違和感を与えずに高精度な要約番組を提供することができる。
【００９１】
次に、上述したフレーム画像抽出処理（Ｓ０２）及び音声データ抽出処理（Ｓ０３）の処理手順についてフローチャートを用いて説明する。
【００９２】
＜フレーム画像抽出処理＞
図１１は、フレーム画像抽出処理手順の一例を示すフローチャートである。まず、映像データを入力し（Ｓ１１）、入力した画像から予め設定された時間Ｔfのフレーム画像の抽出を行う（Ｓ１２）。次に、抽出したフレーム画像の特徴ベクトルを算出する（Ｓ１３）。ここで、Ｓ１３の処理により算出された特徴ベクトルと、前に抽出したフレーム画像の特徴ベクトルとの距離Ｄを算出し（Ｓ１４）、予め設定された閾値と距離との比較を行う。具体的には、例えば距離Ｄが閾値よりも大きいかを判断する（Ｓ１５）。なお、判断条件はこの限りではない。
【００９３】
Ｓ１５の処理において、距離Ｄが閾値よりも大きい場合（Ｓ１５において、ＹＥＳ）、フレーム画像を出力する（Ｓ１６）、また、距離Ｄが閾値以下である場合（Ｓ１５において、ＮＯ）、フレーム画像の出力は行わずに、抽出したフレーム画像の時間Ｔｆよりも所定の時間（Ｔｆｓ）先にあるフレーム画像を抽出し、（Ｓ１７）、Ｓ１２以降の処理を行う。このとき、時間ＴｆはＴｆ及びＴｆｓの和（Ｔｆ←Ｔｆ＋Ｔｆｓ）となり、所定の時間Ｔｆｓは、フレーム画像を抽出する時間間隔を示している。
【００９４】
また、Ｓ１６において、フレーム画像を出力した後、処理が終了したかを判断する（Ｓ１８）。具体的には、入力された映像やある設定された映像の範囲を対象として上述の処理が終了したかを判断する。
【００９５】
ここで、処理が終了した場合（Ｓ１８において、ＹＥＳ）、フレーム画像抽出処理を終了する。また、処理が終了していない場合（Ｓ１８において、ＮＯ）、上述したＳ１７の処理を行った後、Ｓ１２以降の処理を行う。
【００９６】
＜音声データ抽出処理＞
次に、音声データ抽出処理について、フローチャートを用いて説明する。図１２は、音声データ抽出処理手順を説明するための一例のフローチャートである。まず、音声データを入力し（Ｓ２１）、更に、上述したフレーム画像抽出処理により得られるフレーム画像を入力する（Ｓ２２）。次に、フレーム画像の時間情報に対応する時間Ｔｓから予め設定される時間Ｔｓｓまでの音声データを抽出する（Ｓ２３）。
【００９７】
次に、Ｓ２３にて抽出された音声データの音声レベルと予め設定された閾値（音声レベル）との比較を行う。具体的には、例えば音声レベルが閾値より大きいかを判断する（Ｓ２４）。なお、判断条件はこの限りではない。
【００９８】
Ｓ２４の処理において、音声レベルが閾値よりも大きい場合（Ｓ２４において、ＹＥＳ）、その音声データの時間情報に対応する画像データから予め設定される数フレーム前の画像データ構造体を選定し（Ｓ２５）、画像データ構造体を出力候補画像として出力する（Ｓ２６）。また、音声レベルが閾値以下である場合（Ｓ２４において、ＮＯ）、次のフレーム画像を取得し（Ｓ２７）、Ｓ２３以降の処理を行う。
【００９９】
また、Ｓ２６において、画像データ構造体を出力した後、処理が終了したかを判断する（Ｓ２８）。具体的には、Ｓ２２にて入力した全てのフレーム画像について上述した処理が終了したかを判断する。
【０１００】
ここで、処理が終了した場合（Ｓ２８において、ＹＥＳ）、音声データ抽出処理を終了する。また、処理が終了していない場合（Ｓ２８において、ＮＯ）、上述したＳ２７の処理を行った後、Ｓ２３以降の処理を行う。
【０１０１】
このように、要約番組生成処理により番組の内容を理解しやすい画像及び音声を効率的に抽出することができる。これにより、高精度な要約番組を生成することができる。
【０１０２】
また、本発明における要約番組を生成する実行プログラムを生成することで、特別な装置構成を必要とせず、低コストで要約番組生成を実現することができる。また、プログラムをインストールすることにより、容易に要約番組の生成を実現することができる。なお、図１１及び図１２に示す抽出処理のみを実行させるプログラムを生成することで、入力データに対して所定の条件に基づいて画像及び音声を抽出する処理のみを行わせてもよい。
【０１０３】
上述したように、本発明によれば、番組の内容を理解しやすい画像及び音声を効率的に抽出することができる。これにより、高精度な要約番組を生成することができる。
【０１０４】
具体的には、例えば、例えばドラマ映像及び音声をコンピュータに取り込み、映像のカット点及びセリフの喋り出し等に基づいて画像を抽出し、抽出した画像の画像データ構造体を蓄積し、更にＧＵＩにより画像データ構造体の削除あるいは変更等を行い、利用者により設定される画像に対応する画像データ構造体を抽出しドラマの要約を生成することで、高精度な要約番組を生成することができる。
【０１０５】
以上本発明の好ましい実施形態について詳述したが、本発明は係る特定の実施形態に限定されるものではなく、特許請求の範囲に記載された本発明の要旨の範囲内において、種々の変形、変更が可能である。
【図面の簡単な説明】
【０１０６】
【図１】本発明における要約番組生成装置の一構成例を示す図である。
【図２】本実施形態における画像抽出部の機能構成の一例を示す図である。
【図３】出力候補画像の抽出内容を説明するための一例の図である。
【図４】本実施形態における設定画面の一例の図である。
【図５】画像データ構造体を設定するための詳細設定画面の一例を示す図である。
【図６】画面情報表示領域５４に表示される内容を説明するための一例の図である。
【図７】表示画像が変更される手順を説明するための一例を示す図である。
【図８】最終出力される画像の設定を説明するための図である。
【図９】本発明における要約番組の生成が実現可能なハードウェア構成の一例を示す図である。
【図１０】番組生成処理手順の一例を示すのフローチャートである。
【図１１】フレーム画像抽出処理手順の一例を示すフローチャートである。
【図１２】音声データ抽出処理手順の一例を示すフローチャートである。
【符号の説明】
【０１０７】
１０  要約番組生成装置
１１  映像・音声分離部
１２  画像抽出部
１３  最終出力画像設定部
１４  要約番組再生部
２１  フレーム画像抽出手段
２２  カット点検出手段
２３  音声開始点検出・画像抽出手段
２４  出力候補画像蓄積手段
３１  画像データ構造体
４１  最終出力設定画面
４２  画像設定領域
４３，５３  ボタン領域
４４  テキストボックス
４５  コンボボックス４５
４６，５６  ＯＫボタン
４７，５７  キャンセルボタン
５１  詳細設定画面
５２  画像表示領域
５４  画面情報表示領域
５５  スクロールバー
６１，７１，７２，  画像
６２  シーケンス番号
６３，８２  チェックボックス
６４  候補番号
６５  移動ボタン
８１  表示画像
８３  出力画像
９１  入力装置
９２  出力装置
９３  ドライブ装置
９４  補助記憶装置
９５  メモリ装置
９６  ＣＰＵ
９７  ネットワーク接続装置
９８  記録媒体
【図１】
2005332486.tif 000003
【図２】
2005332486.tif 000004
【図３】
2005332486.tif 000005
【図４】
2005332486.tif 000006
【図５】
2005332486.tif 000007
【図６】
2005332486.tif 000008
【図７】
2005332486.tif 000009
【図８】
2005332486.tif 000010
【図９】
2005332486.tif 000011
【図１０】
2005332486.tif 000012
【図１１】
2005332486.tif 000013
【図１２】
2005332486.tif 000014